【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
集光素子のアレイと、
集合的に画像を形成するよう設計された微細構造アイコン要素のアレイを含む画像システムと、
を含み、
前記集光素子のアレイと前記画像システムは、連携して少なくとも１つの合成光学画像を形成する、合成光学画像システム。
【請求項２】
前記微細構造アイコン要素のアレイは、アイコン層内または基板上に形成されたコーティング層内のいずれかに組み込まれる、請求項１に記載の合成光学画像システム。
【請求項３】
前記微細構造アイコン要素は、凹部または隆起領域またはその両方として形成される、請求項２に記載の合成光学画像システム。
【請求項４】
前記微細構造アイコン要素は、非対称の間隙パターン、対称的な間隙パターン、ライトトラップパターン、非対称の隆起パターン、対称的な隆起パターン、ホログラフィック表面浮き彫りパターン、汎用回折浮き彫りパターン、バイナリ構造パターン、バイナリ光学パターン、段付き浮き彫りパターン、ランダム粗および疑似ランダム粗パターン、公称フラット表面パターン、凹または凸パターン、またはこれらの組み合わせの１以上から選択される、請求項２に記載の合成光学画像システム。
【請求項５】
合成光学システムは、マイクロ光学システム、合成拡大マイクロ光学画像投射システム、モアレ拡大システム、または円柱形マイクロレンズの画像システムのうちの１以上である、請求項１に記載の合成光学画像システム。
【請求項６】
前記アイコン層は独立している、請求項２に記載の合成光学画像システム。
【請求項７】
前記アイコン層は基板上に備えられる、請求項２に記載の合成光学画像システム。
【請求項８】
前記基板は前記集光素子のアレイに光学的に結合される、請求項７に記載の合成光学画像システム。
【請求項９】
前記微細構造アイコン要素のアレイは微細構造を有する領域と構造化されていない領域とを含み、前記微細構造アイコン要素のアレイは、前記アレイが真空、気体、液体または固体に浸されるかまたは接触すると、前記微細構造と、構造化されていない領域との間に、光学的コントラストを示すよう設計される、請求項１に記載の合成光学画像システム。
【請求項１０】
前記光学的コントラストは、屈折、内部反射、表面反射、散乱、偏光、旋光、回折、光学干渉、またはこれらの組み合わせから生じる、請求項９に記載の合成光学画像システム。
【請求項１１】
前記アイコン要素の少なくとも一部分はコーティングを有する、請求項２に記載の合成光学画像システム。
【請求項１２】
前記コーティングは、共形、非共形または指向性である、請求項１１に記載の合成光学画像システム。
【請求項１３】
前記コーティングは、連続、非連続、パターン化またはこれらの組み合わせである、請求項１１に記載の合成光学画像システム。
【請求項１４】
前記コーティングは金属材料である、請求項１１に記載の合成光学画像システム。
【請求項１５】
前記金属コーティング材料は、選択された除去された部分を有する、請求項１４に記載の合成光学画像システム。
【請求項１６】
前記コーティングはパターン化され、前記パターン化されたコーティングが少なくとも１つの第１の合成画像を作成し、前記微細構造アイコン要素が少なくとも１つの第２の合成画像を作成するように、前記パターン化されたコーティングが前記微細構造アイコン要素から独立したアイコン画像を提供する、請求項１１に記載の合成光学画像システム。
【請求項１７】
前記コーティングはパターン化され、前記パターン化されたコーティングの一部分はポジティブ画像またはネガティブ画像のいずれかを形成する、請求項１１に記載の合成光学画像システム。
【請求項１８】
前記微細構造アイコン要素の一部分はポジティブ画像またはネガティブ画像のいずれかを形成する、請求項２に記載の合成光学画像システム。
【請求項１９】
前記パターン化されたコーティングの一部分は色反転画像を形成する、請求項１７に記載の合成光学画像システム。
【請求項２０】
前記微細構造アイコン要素の一部分は色反転画像を形成する、請求項１８に記載の合成光学画像システム。
【請求項２１】
前記パターン化されたコーティングの一部分は、透明の背景に対して不透明の画像または不透明の背景に対して透明の画像のいずれかを形成する、請求項１７に記載の合成光学画像システム。
【請求項２２】
前記微細構造アイコン要素の一部分は、透明の背景に対して不透明の画像または不透明の背景に対して透明の画像のいずれかを形成する、請求項１８に記載の合成光学画像システム。
【請求項２３】
微細構造アイコン要素のアレイおよび集光素子のアレイから形成される微細印刷を含み、前記アレイが連携して少なくとも１つの合成光学画像を形成する、合成光学画像システム。
【請求項２４】
前記微細印刷はコンパクトな情報記憶のために用いられる、請求項２３に記載の合成光学画像システム。
【請求項２５】
前記微細印刷は、貨幣の識別のために、貨幣、文書、包装または製品のセキュリティスレッドにおいて用いられる、請求項２３に記載の合成光学画像システム。
【請求項２６】
前記コーティングは前記アイコン層に積層される、請求項１１に記載の合成光学画像システム。
【請求項２７】
前記コーティングは基板によって支持される、請求項１１に記載の合成光学画像システム。
【請求項２８】
前記基板は前記アイコン層と前記コーティングとの間に配置される、請求項２７に記載の合成光学画像システム。
【請求項２９】
前記微細構造アイコン要素の少なくとも一部分が、アイコン充填材料で充填される、請求項２に記載の合成光学画像システム。
【請求項３０】
前記微細構造アイコン要素の少なくとも一部分が、積層の前にアイコン充填材料で充填される、請求項２６に記載の合成光学画像システム。
【請求項３１】
前記微細構造アイコン要素の少なくとも一部分が、積層の前にコーティング材でコーティングされる、請求項２６に記載の合成光学画像システム。
【請求項３２】
前記アイコン層は、ポジティブアイコン要素とネガティブアイコン要素の両方で形成される、請求項２に記載の合成光学画像システム。
【請求項３３】
前記アイコン層はポジティブアイコン要素から形成され、ポジティブアイコン要素が前記アイコン層内の凹みまたは間隙として形成され、前記アイコン層内の背景領域は隆起領域として形成される、請求項２に記載の合成光学画像システム。
【請求項３４】
前記アイコン層はネガティブアイコン要素から形成され、ネガティブアイコン要素が前記アイコン層内の隆起領域として形成され、前記アイコン層内の背景領域が前記アイコン層内の凹みまたは間隙として形成される、請求項２に記載の合成光学画像システム。
【請求項３５】
前記ポジティブアイコン要素の少なくとも一部分が、前記アイコン層の材料とは異なる特性を有する充填材料で充填される、請求項３３に記載の合成光学画像システム。
【請求項３６】
前記アイコン層内の背景領域の少なくとも一部分が、前記アイコン層の材料と異なる特性を有する充填材料で充填される、請求項３４に記載の合成光学画像システム。
【請求項３７】
前記充填材料は着色材料を含む、請求項３５に記載の合成光学画像システム。
【請求項３８】
前記充填材料は着色材料を含む、請求項３６に記載の合成光学画像システム。
【請求項３９】
前記微細構造アイコン要素層の表面の少なくとも一部分に塗布されるコーティング材料をさらに含む、請求項２に記載の合成光学画像システム。
【請求項４０】
前記コーティング材料は、前記アイコン層と共形、前記アイコン層と非共形、不連続である、パターン化されている、パターン化されていない、指向性である、または前記アイコン層と異なる特性または材料を有するコーティングされた領域を有する、またはこれらの組み合わせである、請求項３８に記載の合成光学画像システム。
【請求項４１】
前記コーティング材料は、前記アイコン層の平面の法線方向から見られた場合に実質的に透明のアルミニウムであり、前記コーティング層の反射性が入射角度の増大につれて増加することにより、コーティングされたアイコン要素の側面はより反射性を増し、前記アイコン要素に高コントラストの輪郭の外観をもたらす、請求項３９に記載の合成光学画像システム。
【請求項４２】
前記コーティング材料は多層誘電材料であり、前記コーティングの色は異なる視角で異なって見える、請求項３９に記載の合成光学画像システム。
【請求項４３】
前記微細構造アイコンの少なくとも一部分を少なくとも部分的に充填する充填材料をさらに含む、請求項３９に記載の合成光学画像システム。
【請求項４４】
前記微細構造アイコンの少なくとも一部分を少なくとも部分的に充填する充填材料をさらに含む、請求項２に記載の合成光学画像システム。
【請求項４５】
前記微細構造アイコンの少なくとも一部分が異なる量の異なる材料で充填される、請求項４３に記載の合成光学画像システム。
【請求項４６】
前記微細構造アイコンの少なくとも一部分が異なる量の異なる材料で充填される、請求項４４に記載の合成光学画像システム。
【請求項４７】
前記コーティング材料がパターン化されている、請求項３９に記載の合成光学画像システム。
【請求項４８】
前記コーティング材料は、印刷し、レジスト材料を前記コーティングに堆積し、露出したコーティングの少なくとも一部分を化学的にエッチングするか、または前記レジスト材料の少なくとも一部分を化学的または機械的に取り除くことによって、パターン化される、請求項４７に記載の合成光学画像システム。
【請求項４９】
前記コーティング材料はパターン化金属コーティングである、請求項３９に記載の合成光学画像システム。
【請求項５０】
前記コーティング材料は、前記微細構造アイコン要素によって集合的に形成される前記少なくとも１つの画像に加えて、少なくとも１つの画像を集合的に形成する一連のアイコン要素を作成する、パターン化されたコーティング材料である、請求項３９に記載の合成光学画像システム。
【請求項５１】
前記コーティング材料は、前記微細構造アイコン要素の幾何学形状と連携しない幾何学形状を用いてパターン化される、請求項４７に記載の合成光学画像システム。
【請求項５２】
前記コーティング材料は、前記微細構造アイコン要素が保持する情報とは異なる情報を保持する、請求項４７に記載の合成光学画像システム。
【請求項５３】
前記コーティング材料は、壊れやすいラッカー層を任意に含むホットスタンプ箔である、請求項３９に記載の合成光学画像システム。
【請求項５４】
前記微細構造アイコン要素の複数の凹みの少なくとも一部分のみを充填するように、前記ホットスタンプ箔コーティングの少なくとも一部分の上にコーティングされるか、または前記アイコン層に塗布された充填材料をさらに含む、請求項５３に記載の合成光学画像システム。
【請求項５５】
前記コーティング材料は指向性コーティングを含む、請求項３９に記載の合成光学画像システム。
【請求項５６】
前記微細構造アイコン要素内の複数の凹みの一部分を少なくとも部分的に充填する充填材料をさらに含む、請求項５５に記載の合成光学画像システム。
【請求項５７】
前記微細構造アイコン要素は、前記基板の選択された部分に設けられたパターン化されたコーティング材料から形成され、前記パターン化されたコーティング材料は、前記アイコン要素のポジティブまたはネガティブオブジェクトパターンを形成する、請求項１に記載の合成光学画像システム。
【請求項５８】
前記パターン化されたコーティング材料に加えられたさらなるコーティング層をさらに含む、請求項５７に記載の合成光学画像システム。
【請求項５９】
前記システムは、前記集光素子のアレイが前記画像システムから独立して、前記画像システムに含まれる情報を読み取るために用いられる、認証システムとして動作する、請求項１に記載の合成光学画像システム。
【請求項６０】
前記集光素子のアレイがシートとして形成され、前記画像システムがシートとして形成され、前記２枚のシートが光学的または機械的に結合されるよう構成され、前記集光素子の焦点距離が前記集光素子を含むシートの厚さよりも長い、請求項５９に記載の合成光学画像システム。
【請求項６１】
前記２枚のシートが結合流体で結合される、請求項６０に記載の合成光学画像システム。
【請求項６２】
少なくとも１つの合成光学画像を形成するために前記２枚のシートが結合される時、アイコン要素の前記アレイが前記画像システムシートの表面上または中に配置され、前記集光素子の焦点が前記画像システムシートの表面にあるかまたはわずかにずれており、前記画像システムシートの表面は前記少なくとも１つの合成光学画像を形成するよう設計された前記微細構造アイコン要素を含む、請求項６０に記載の合成光学画像システム。
【請求項６３】
前記画像システムシートが認証またはセキュリティ装置としてオブジェクトに固定されるか、または組み込まれる、請求項６０に記載の合成光学画像システム。
【請求項６４】
前記集光素子のアレイと前記画像システムとは、実質的に一致する回転対称性と反復周期を有する、請求項６３に記載の合成光学画像システム。
【請求項６５】
前記画像システムシート上の表面コーティングをさらに含む、請求項６０に記載の合成光学画像システム。
【請求項６６】
前記画像システムシートは、前記集光素子のアレイと連携して異なる合成画像を形成するアイコン要素の複数のパターンを含む、請求項６４に記載の合成光学画像システム。
【請求項６７】
前記異なる合成画像は、前記集光素子シートの前記画像システムシートに対する異なる回転角度において形成される、請求項６６に記載の合成光学画像システム。
【請求項６８】
前記異なる合成画像は異なる別の集光素子シートの使用を通じて形成され、前記異なる別の集光素子シートは、前記集光素子アレイの反復周期、前記集光素子の焦点距離、またはその回転対称性、またはこれらの組み合わせの１以上において異なる集光素子のアレイを有する、請求項６６に記載の合成光学画像システム。
【請求項６９】
１つのアイコン要素パターンが、他のアイコン要素パターンと異なる反復周期または異なる回転対称性、またはその両方を有する、請求項６６に記載の合成光学画像システム。
【請求項７０】
異なるアイコン要素パターンから合成画像を形成するのに異なる集光素子シートが必要とされる、請求項６９に記載の合成光学画像システム。
【請求項７１】
第２の集光素子シートが第１の集光素子シートの上に配置されて２つの異なるアイコン要素パターンの合成画像を形成し、前記集光素子シートの一方は他方の集光素子シートの集光素子とは異なる焦点距離を有する集光素子を有する、請求項７０に記載の合成光学画像システム。
【請求項７２】
前記第１および第２の集光素子シートは、前記集光素子アレイの前記反復周期、前記集光素子の前記焦点距離、その回転対称性、又はその組み合わせの１以上において異なる集光素子のアレイを有する、請求項７１に記載の合成光学画像システム。
【請求項７３】
前記異なるアイコン要素パターンは少なくとも２つの異なる画像システム層に設けられる、請求項６６に記載の合成光学画像システム。
【請求項７４】
前記異なる画像システム層は異なる画像システムシートに設けられる、請求項７３に記載の合成光学画像システム。
【請求項７５】
前記集光素子のアレイと前記画像システムとの間に光学スペーサをさらに含む、請求項２に記載の合成光学画像システム。
【請求項７６】
前記少なくとも１つの合成光学画像は、他の材料を前記集光素子のアレイ上に配置しないと識別可能でないように、前記光学スペーサの厚さは前記集光素子の前記焦点距離よりも厚く、前記他の材料の屈折率は前記集光素子の前記焦点距離を変更して前記画像システムの前記アイコン要素に焦点を合わせるのに十分であり、それによって少なくとも１つの合成光学画像を提供する、請求項７５に記載の合成光学画像システム。
【請求項７７】
異なる屈折率を有する材料を加えることで異なる合成光学画像を提供する異なるアイコン要素層をさらに含む、請求項７６に記載の合成光学画像システム。
【請求項７８】
前記他の材料は液体であり、それによって濡れると表示される少なくとも１つの合成光学画像を提供する、請求項７６に記載の合成光学画像システム。
【請求項７９】
貨幣または貨幣のセキュリティスレッドに組み込まれる、請求項１に記載の合成光学画像システム。
【請求項８０】
観察者によって見られる前記少なくとも１つの合成光学画像は、前記画像システムの方位角が変化するにつれ変化する、請求項１に記載の合成光学画像システム。
【請求項８１】
微細構造アイコン要素のアレイを含み、前記微細構造アイコン要素は少なくとも１つの画像またはいくつかの選択された情報を集合的に形成するよう設計され、別の拡大装置を用いることにより、前記少なくとも１つの画像が見られるか、または前記情報が読み取られるように設計される、画像表示システム。
【手続補正２】
【補正対象書類名】明細書
【補正対象項目名】０２１６
【補正方法】変更
【補正の内容】
【０２１６】
図３６（ａ）に図解されるように、微細構造アイコン要素８４４から８５６を有するアイコン層８３６は、積層接着剤８３８を用いて、基板もしくは透明基板８４２により支持されることができるコーティング材料層８４０に積層されて示されている。積層接着剤８３８は、微細構造アイコン要素８４４および８４６に示される積層接着剤の間隙に示されるように、まずアイコン層８３６に塗布され、次いでコーティング材料層８４０と密着されてもよく、或いは、積層接着剤８３８はさらに、もしくは代替的に、微細構造アイコン画像要素８４８から８５６に示される積層接着剤８３８の連続層によって示されるように、まずコーティング材料層８４０に塗布され、次いでアイコン層８３６に密着されてもよい。
【手続補正３】
【補正対象書類名】明細書
【補正対象項目名】０２１７
【補正方法】変更
【補正の内容】
【０２１７】
本実施形態において、コーティング材料層８４０は、微細構造アイコン画像要素８４４から８５６と非常に近接しているか、またはこれに接触している。コーティング層は、図３５のコーティング層７９３と同様であり、コーティング層７９３に関連して説明されるような効果を有することができる。
【手続補正４】
【補正対象書類名】明細書
【補正対象項目名】０２４６
【補正方法】変更
【補正の内容】
【０２４６】
対照的に、かっこ（ブラケット）９３８によって示される領域内のコーティング層９３４は、アイコン要素と協調し、凹んだ形状９３１をコーティングするが、その間の「フラット（平坦部分）」９３９をコーティングしない。この種類のパターン化は、凹んだ領域９３１と「フラット」９３９の両方を含むアイコン層９３２の全表面をコーティング材料９３４でコーティングし、次いでコーティング材料９３４を「フラット」９３９から、擦過、摩擦、ブラシ掛け、剥離、研磨、化学的エッチング、粘着性引きはがし、またはその他の適切な手段により除去することで達成されることができる。
【手続補正５】
【補正対象書類名】明細書
【補正対象項目名】０３１７
【補正方法】変更
【補正の内容】
【０３１７】
【図１ａ】システムの画像の視差直交移動を提供する本開示の一実施形態を例示するマイクロ光学システムの断面図である。
【図１ｂ】図１ａの実施形態の等角切断図である。
【図２ａ】図１ａ及び図１ｂの実施形態の視差直交合成画像運動の説明図である。
【図２ｂ】本システムのディープ（Ｄｅｅｐ）実施形態とフロート（Ｆｌｏａｔ）実施形態の視覚効果の説明図である。
【図２ｃ】本システムのディープ（Ｄｅｅｐ）実施形態とフロート（Ｆｌｏａｔ）実施形態の視覚効果の説明図である。
【図２ｄ】本発明の浮揚（Ｌｅｖｉｔａｔｅ）実施形態により得られる視覚効果の説明図である。
【図２ｅ】本発明の浮揚（Ｌｅｖｉｔａｔｅ）実施形態により得られる視覚効果の説明図である。
【図２ｆ】本発明の浮揚（Ｌｅｖｉｔａｔｅ）実施形態により得られる視覚効果の説明図である。
【図３】図３ａから図３ｉは、本システムの多様な実施形態及びレンズの対称的な二次元アレイの異なるパターンの充填比を示す平面図である。
【図４】アイコン要素周期／レンズ周期比の変動により生じるディープ、ユニゾン、フロート、及び浮揚の実施形態の効果のさまざまな組み合わせを描くグラフである。
【図５】図５ａから図５ｃは、本発明のアイコン画像の合成倍率がレンズアレイ軸とアイコンアレイ軸の間の相対的な角度によりどのように制御できるのかを描く平面図である。
【図６】図６ａから図６ｃは、本システムの合成倍率画像のモーフィング効果を達成する実施形態を描く平面図である。
【図７】図７ａから図７ｃは、本システムのアイコン層の多様な実施形態を示す断面図である。
【図８】図８ａから図８ｂは、「ポジティブ」アイコン要素実施形態と「ネガティブ」アイコン要素実施形態の両方を描く平面図である。
【図９】さまざまな特性を有する合成拡大された画像の領域を生成するためのマルチレベル材料の実施形態を描く断面図である。
【図１０】さまざまな特性を有する合成拡大された画像の領域を生成するためのマルチレベル材料の別の実施形態を描く断面図である。
【図１１】図１１ａから図１１ｂは、本システムの反射光学部品とピンホール光学部品の実施形態を示す断面図である。
【図１２】図１２ａから図１２ｂは、ハイブリッド屈折／反射材料実施形態と、全屈折材料実施形態の構造を比較する断面図である。
【図１３】「ｐｅｅｌ−ｔｏ−ｒｅｖｅａｌ」タンパー表示材料の実施形態を示す断面図である。
【図１４】「ｐｅｅｌ−ｔｏ−ｃｈａｎｇｅ」タンパー表示材料の実施形態を示す断面図である。
【図１５】図１５ａから図１５ｄは、両面システムの多様な実施形態を示す断面図である。
【図１６】図１６ａから図１６ｆは、本システムによるグレイスケールまたは色調アイコン要素パターン、及び引き続きこれらの合成倍率画像を生じさせるための三つの異なる方法を描く断面図及び対応する平面図である。
【図１７】図１７ａから図１７ｄは、印刷情報とともに本発明の使用を示す断面図である。
【図１８】図１８ａから図１８ｆは、印刷情報と組み合わせた、本システムの多様な基板への適用または組み込みを描く断面図である。
【図１９】図１９ａから図１９ｂは、それぞれが本発明に組み込まれたときの、球面レンズの焦点（ｉｎ−ｆｏｃｕｓ）視野を平面非球面レンズの焦点視野と比較する断面図である。
【図２０】図２０ａから図２０ｃは、本発明の厚いアイコン層を使用した結果生じる二つの利点を描く断面図である。
【図２１】「ウィンドウ表示」セキュリティスレッドとしての貨幣への本システムの適用を示す平面図である。
【図２２】「ウィンドウ表示」セキュリティスレッドに関する画像の本システムの視差直交運動実施形態の説明図である。
【図２３】本システムの合成画像のハーフトーン処理の説明図である。
【図２４ａ】個々の合成画像の最小の特徴物より寸法が小さい結合された合成画像を生じさせるための本システムの使用を描く図である。
【図２４ｂ】アイコン画像要素間の隙間の細いパターンを生じさせるための本発明の使用を描く図である。
【図２５】本発明のアイコン画像の中への秘密の隠し情報の組み込みを描く図である。
【図２６】本発明を用いて完全な三次元画像の生成を描く図である。
【図２７】図２６の三次元的実施形態のためのアイコン画像を設計するための方法の説明図である。
【図２８】図２７の方法から生じるアイコン画像の説明図である。
【図２９】図２７の方法を複雑な三次元合成画像にどのように適用できるのかを図解する図である。
【図３０】２８ミクロンの有効直径を有する例示的な六角形ベースマルチゾーンレンズの中心ゾーン焦点特性を描く図である。
【図３１】２８ミクロンの直径を有する球面レンズの中心ゾーン焦点特性を描く図である。
【図３２】図３０の六角形レンズの側面ゾーンの特性を描く図である。
【図３３】図３１の球面レンズの外側ゾーンの特性を描く図である。
【図３４】（ａ）及び（ｂ）は微細構造アイコン要素の代替的実施形態を図解する。
【図３５】（ａ）及び（ｂ）はコーティング材料をさらに含む、図３４（ａ）および（ｂ）の微細構造アイコン要素を図解する。
【図３６】（ａ）及び（ｂ）は積層されたコーティング材料をさらに含む、図３４（ａ）および（ｂ）の微細構造アイコン要素を図解する。
【図３７】（ａ）〜（ｃ）はポジティブおよびネガティブアイコン要素を図解する。
【図３８】（ａ）〜（ｃ）は充填およびコーティングされた微細構造アイコン要素の組み合わせを図解する。
【図３９】（ａ）〜（ｃ）はパターン化されたコーティング材料の、図３４（ａ）および（ｂ）の微細構造アイコン要素への適用および組み合わせを図解する。
【図４０】（ａ）〜（ｃ）はアイコン画像要素を作成するためのパターン化されたコーティング材料の使用を図解する。
【図４１】（ａ）及び（ｂ）は本明細書に開示されるマイクロ光学システムの「鍵と鍵穴」実施形態を図解する。
【図４２】図４１の「鍵と鍵穴」実施形態の代替的実施形態を図解する。
【図４３】図４１の「鍵と鍵穴」実施形態のさらなる実施形態を図解する。
【図４４】（ａ）及び（ｂ）は本明細書に開示されるマイクロ光学システムの浸水可能な実施形態を図解する。
【図４５】（ａ）〜（ｃ）は、図４４（ａ）および（ｂ）の浸漬可能な実施形態の代替実施形態を図解する。
【図４６】方位視角に依存する本マイクロ光学システムの実施形態を図解する。
【図４７】図４６のマイクロ光学システムの代替的実施形態を図解する。
【図４８】（ａ）〜（ｆ）は、本マイクロ光学システムの実施形態で用いられる充填された微細構造アイコン要素を作成する方法を図解する。
【手続補正６】
【補正対象書類名】図面
【補正対象項目名】図３４
【補正方法】変更
【補正の内容】
【図３４】
2008545550.tif 000001
【手続補正７】
【補正対象書類名】図面
【補正対象項目名】図３５
【補正方法】変更
【補正の内容】
【図３５】
2008545550.tif 000002